【事件の表示】
　特願２０１６−２０８７８５「磁場検出装置」拒絶査定不服審判事件〔平成３０年　５月１０日出願公開、特開２０１８−　７２０２６〕について、次のとおり審決する。
【結　論】
　本件審判の請求は、成り立たない。
【理　由】
第１　手続の経緯
　本願は、２０１６年（平成２８年）１０月２５日の特許出願であって、その手続の経緯は以下のとおりである。
　平成３０年　３月１５日付け：拒絶理由通知書
　平成３０年　５月２８日　　：意見書、手続補正書の提出
　平成３０年１０月２５日付け：拒絶査定
（平成３０年１１月１３日　　：査定の謄本の送達日）
　平成３１年　２月１３日　　：審判請求書、手続補正書の提出
　令和　１年１１月１５日付け：拒絶理由通知書
　令和　２年　１月１６日　　：意見書、手続補正書の提出
第２　本願発明
　本願請求項１−６に係る発明（以下、それぞれ「本願発明１」−「本願発明６」という。）は、令和２年１月１６日に提出された手続補正書により補正された特許請求の範囲の請求項１−６に記載された事項により特定されるとおりのものであり、本願発明１は以下のとおりである。
「【請求項１】
　第１の方向および前記第１の方向と直交する第２の方向の双方を含む第１の面に沿って広がると共に、前記第１の方向および前記第２の方向の双方と直交する第３の方向において対向配置された第１の軟磁性体および第２の軟磁性体と、
　前記第３の方向において前記第１の軟磁性体と前記第２の軟磁性体との間に設けられた磁気検出素子と、
　前記第３の方向において前記磁気検出素子を挟むと共に前記磁気検出素子にセンス電流を供給可能に設けられた一対のリードと
　を有し、
　前記第１の軟磁性体は、前記第２の軟磁性体と対向する第１の対向面を含み、
　前記第２の軟磁性体は、前記第１の軟磁性体と対向する第２の対向面を含み、
　前記第１の対向面および前記第２の対向面のうちの少なくとも一方には、複数の突起部が形成されており、
　前記磁気検出素子は、前記第１の面に沿った感磁方向を有し、前記第３の方向において前記複数の突起部のいずれかと重なり合う位置と異なる位置に設けられ、
　前記第１の面に沿った方向における前記磁気検出素子の中心点は、前記第１の面に沿った方向において隣り合う２つの前記突起部同士の中間点から外れた位置にあり、
　前記磁気検出素子および前記一対のリードは、前記第１の方向および前記第２の方向の双方において前記複数の突起部のうちの少なくとも１つと重なり合う位置と異なる位置に設けられている
　磁場検出装置。」
第３　当審が通知した拒絶の理由
　当審が令和１年１１月１５日付けで通知した拒絶の理由のうち理由５（進歩性）は、概略以下のとおりである。
　平成３１年２月１３日に提出された手続補正書により補正された特許請求の範囲の請求項１−８に係る発明は、引用文献１に記載された発明に基づいて、当業者が容易に発明できたものであるから、特許法第２９条第２項の規定により特許を受けることができない。
　引用文献１：米国特許公開第２０１５／００２８８６３号明細書
第４　当審の判断
（１）引用文献、引用発明等
ア　引用文献
　以下に掲げる引用文献１、２は、本願の出願前に公知とされた文献である。引用文献１は、上記「第３　当審が通知した拒絶の理由」で示した引用文献１であり、また、引用文献２−４は、当審で新たに引用した文献である。
　引用文献１：米国特許公開第２０１５／００２８８６３号明細書
　引用文献２：特開２００３−３１８４６１号公報
　　　　　　　（当審において新たに引用した文献、周知技術を示す文献）
　引用文献３：特開２００３−６９１０８号公報
　　　　　　　（当審において新たに引用した文献、周知技術を示す文献）
　引用文献４：特開２００７−１９４３２２号公報
　　　　　　　（当審において新たに引用した文献、周知技術を示す文献）
イ　引用文献１について
　引用文献１には、図面とともに、次の記載がある。（下線は、当審で付した。また、翻訳文は当審で作成した。）
「
The systems
described below are directed to a magnetic field sensor
for the detection or measurement of an externally applied magnetic field.
（翻訳文：
以下に説明するシステム
は、外部から印加された磁界の検出または測定のために
磁界センサに関する
「
Permalloy may be used to create the flux guides
（翻訳文：
パーマロイは、磁束ガイドを形成するために使用することができる
「FIG. 1 shows a is as implified illustration of the magnetically sensitive structure with at least one permeable flux guide that routes flux from the externally applied field along the sensitive axis of the magnetically sensitive structure. 
The magnetically sensitive structure 150 may be, for example,
GMR multilayer structure
The transducer sensitive axis is shown with an arrow in FIG. 1
（翻訳文：図１は、磁気感知構造の感知軸に沿った外部から加えられた磁界からの磁束を送る少なくとも１つの透磁性磁束ガイドと磁気感知構造の簡略図を示している。
磁気感知構造１５０は、例えば、
ＧＭＲ多層構造であり
トランスデューサ感知軸は、図１中の矢印で示されており、ｘ軸に沿っている。
「FIG. 1 shows flux guides 110, including an upper flux guide 111 and a lower flux guide 115. The flux is accepted by the large dimension at the top of the flux guide 111 and flows to the bottom of the flux guide 115, exiting the bottom edge of flux guide 115. Between the top flux guide 111 and the bottom flux guide 115 is a gap that contains the magnetically sensitive structure 150. In this gap, the flux guide 111 has a protrusion 112 which extends from the lower edge of flux guide 111. Similarly, flux guide 115 has a protrusion 116 that extends into the gap. 
The purpose of protrusions 112 and 116 are to route the lines of vertical flux horizontally across the magnetically sensitive device 150, and therefore parallel to its sensitive axis.
a rectangular extensive portion 113 and 117
（翻訳文：図１は、上側の磁束ガイド１１１及び下側の磁束ガイド１１５を含む磁束ガイド１１０を示している。磁束は磁束ガイド１１１の上部の大きな寸法で入り、磁束ガイド１１５の底部に流れて、磁束ガイド１１５の底部のエッジを出る。上部の磁束ガイド１１１と底部の磁束ガイド１１５との間は、磁気感知構造１５０を含むギャップである。このギャップでは、磁束ガイド１１１は、磁束ガイド１１１の下側のエッジから延出する突起部１１２を有している。同様に、磁束ガイド１１５はギャップ内に伸びる突起部１１６を有している。
突起部１１２および１１６の目的は、磁気感知素子１５０を横切って水平に垂直磁束線を送ることと、そして、その感知軸に平行にすることである。
矩形の広域部分１１３及び１１７
「FIG. 2 shows another embodiment of the magnetic sensor sensitive to an external magnetic field. In FIG. 2, the lower (or upper) flux guide is equipped with two additional features 118. These features 118 are patterned with a longer edge 118a and a shorter edge 118b. The longer edge accepts lines of flux that are travelling horizontally along the x-axis. These flux lines would otherwise enter the magnetically sensitive structure 150 and be a source of noise to the measurement of the applied external magnetic field M. Instead, these horizontal lines of flux enter the permeable flux guide 115 and travel under and around the magnetically sensitive device. It should be understood that features 118 may alternatively be associated with the top flux guide 111 rather than the lower flux guide 115. It should also be understood that only a single feature 118 may be required to provide the suppression of horizontal flux lines around the magnetically sensitive structure 150. While any of a number of shapes may be used for flux guides 111 and 115, the distinguishing feature may be that at least one flux guide has a second protruding portion, wherein the second protruding portion accepts the undesired components and routes the undesired components around the magnetically sensitive structure. The protruding portion 118 typically has a region of closest approach to the opposite flux guide, and an adjacent region that tapers away from the opposite flux guide, such that CD.」（[0045]）
（翻訳文：図２は、外部磁界に感応する磁気センサの別の実施形態を示している。図２において、下側（又は上側）の磁束ガイドは２つの追加の特徴１１８を備えている。これらの特徴１１８は、長辺１１８ａと短辺１１８ｂを備えている。長辺はｘ軸に沿って水平方向に移動する磁束線を受け入れる。これらの磁束線は磁気感知構造１５０に入り、印加された外部磁界Ｍの測定ノイズの要因となる代わりに、これらの水平方向の磁束線は、透磁性磁束ガイド１１５に入り、磁気感知素子の下及び周りに移動する。特徴１１８は、下側磁束ガイド１１５よりはむしろ上部磁束ガイド１１１と関連付けられてもよいことが理解されるべきである。また、唯一の特徴１１８は、磁気感知構造１５０の周りに水平方向の磁束線の抑制を提供するために必要とされ得ることが理解されるべきである。多くの形状のうちのいずれかが磁束ガイド１１１及び１１５のために使用され得るが、その顕著な特徴は、少なくとも１個の磁束ガイドが第２の突起部を有し、第２の突起部は、好ましくない成分を受け入れ、磁気感知構造の周囲に望ましくない成分を送ることを特徴としてもよい。突起部１１８はＣ＜Ｄのように、典型的には反対側の磁束ガイドに最も接近する領域と、反対側の磁束ガイドから離れて先細りになる隣接領域とを有する。）
「Accordingly, the magnetic transducer in FIG. 2 has at least one flux guide which is configured to suppress undesired components of the external magnetic field which are not parallel to the one axis of the magnetically sensitive structure. Furthermore, the magnetic transducer of FIG. 2 may comprise a first flux guide and a second flux guide wherein the second flux guide has a second protruding portion and a second extensive portion, wherein the second protruding portion accepts the undesired components and the second extensive portion routes the undesired components around the magnetically sensitive structure.」（[0046]）
（翻訳文：したがって、図２の磁気トランスデューサは、磁気感知構造のその１つの軸に平行でない外部磁界の望ましくない成分を抑制するように構成された少なくとも１つの磁束ガイドを有する。さらに、図２の磁気トランスデューサは、第１の磁束ガイドと第２の磁束ガイドで構成され、第２の磁束ガイドは第２の突起部と第２の広域部分を有し、第２突起部は好ましくない成分を受け入れ、磁気感知構造の周囲に望ましくない成分を送るように構成され得る。）
　引用文献１には以下の図が示されている。
Ｆｉｇ．２
　また、Ｆｉｇ．２から以下の事項が見て取れる。
「磁束ガイド１１１の底部が、ｘ軸方向と、ｘ軸方向とｙ軸方向と直交する方向（以下、「ｚ軸方向」という。）を含む平面に沿って広がっている矩形の広域部分１１３を有し、磁束ガイド１１５の上部が、ｘ軸方向とｚ軸方向を含む平面に沿って広がっている矩形の広域部分１１７を有していること」
「磁束ガイド１１１と磁束ガイド１１５が、ｙ軸方向において対向して配置されていること」
「ｙ軸方向において磁束ガイド１１１と磁束ガイド１１５との間に磁気感知構造１５０が設けられていること」
「磁束ガイド１１５の上部に突起部１１６と複数の追加の特徴１１８が形成されていること」
「磁気感知構造１５０が、ｙ軸方向において突起部１１６、複数の追加の特徴１１８と重なっていないこと」
「磁気感知構造１５０が、ｘ軸方向において隣り合う突起部１１６と追加の特徴１１８の中間位置に設けられていないこと」
「突起部１１６からｘ軸に沿って水平方向に移動する磁束線が磁気感知構造１５０に入り、磁気感知構造１５０から出た磁束線が突起部１１２へ水平方向に移動すること」
　したがって、上記引用文献１には次の発明（以下、「引用発明」という。）が記載されていると認められる。
「磁束ガイド１１１の底部が、ｘ軸方向とｚ軸方向を含む平面に沿って広がっている矩形の広域部分１１３を有し、磁束ガイド１１５の上部が、ｘ軸方向とｚ軸方向を含む平面に沿って広がっている矩形の広域部分１１７を有し（Ｆｉｇ．２）、
　磁束ガイド１１１と磁束ガイド１１５が、ｙ軸方向において対向して配置され（Ｆｉｇ．２）、
　パーマロイは、磁束ガイドを形成するために使用することができ（[0038]）、
　ｙ軸方向において磁束ガイド１１１と磁束ガイド１１５との間に磁気感知構造１５０が設けられ（Ｆｉｇ．２）、
　磁束ガイド１１５の上部に突起部１１６と複数の追加の特徴１１８が形成され（Ｆｉｇ．２）、
　突起部１１２および１１６の目的は、磁気感知素子１５０を横切って水平に垂直磁束線を送ることと、そして、その感知軸に平行にすることであり（[0043]）、
　磁気感知構造１５０が、ｙ軸方向において突起部１１６、複数の追加の特徴１１８と重なっておらず（Ｆｉｇ．２）、
　磁気感知構造１５０が、ｘ軸方向において隣り合う突起部１１６と追加の特徴１１８の中間位置に設けられておらず（Ｆｉｇ．２）、
　磁気感知構造１５０が、ＧＭＲ多層構造であり（[0042]）、
　突起部１１６からｘ軸に沿って水平方向に移動する磁束線が磁気感知構造１５０に入り、磁気感知構造１５０から出た磁束線が突起部１１２へ水平方向に移動する（Ｆｉｇ．２）、
　外部から印加された磁界の検出のための磁界センサに関するシステム（[0004]）。」
ウ　引用文献２−４について
　引用文献２（特に、【０００１】、【００６５】、【００６６】、【図１３】参照）、引用文献３（特に、【０００１】、【０００２】、【０００８】、【図１１】、【図１２】参照）、及び、引用文献４（特に、【０００１】、【００２２】参照）に見られるように、巨大磁気抵抗効果（ＧＭＲ）を有する磁気検出素子において、磁気検出素子にセンス電流を供給するために、垂直方向において多層構造の磁気検出素子を挟み、磁気検出素子にセンス電流を供給可能な一対のリードを設けた技術は、周知技術である。
（２）対比
　本願請求項１の「前記磁気検出素子および前記一対のリードは、前記第１の方向および前記第２の方向の双方において前記複数の突起部のうちの少なくとも１つと重なり合う位置と異なる位置に設けられている」との記載については、本願請求項１の「前記磁気検出素子は、」「前記第３の方向において前記複数の突起部のいずれかと重なり合う位置と異なる位置に設けられ」との記載（すなわち、「前記磁気検出素子」と「前記複数の突起部のいずれか」が「前記第３の方向」から見て「重なり合う」ような位置を考えたとき、そのような位置に「前記磁気検出素子」が設けられていない構成を表す記載）と同様に、「前記磁気検出素子および前記一対のリード」と「前記複数の突起部のうちの少なくとも１つ」が「第１の方向」から見ても、「第２の方向」から見ても、「重なり合う」ような位置を考えたとき、そのような位置に「前記磁気検出素子および前記一対のリード」が設けられていない構成を意味するものとして、本願発明１を認定した。
　本願発明１と引用発明とを対比する。
ア　引用発明においては、「パーマロイは、磁束ガイドを形成するために使用することができ」るから、引用発明の「磁束ガイド１１１と磁束ガイド１１５」においても「パーマロイ」が使用されるものである。してみると、引用発明において、「パーマロイ」が使用された「磁束ガイド１１１と磁束ガイド１１５」は、本願発明１の「第１の軟磁性体および第２の軟磁性体」に相当する。
　引用発明の「ｘ軸方向」、「ｙ軸方向」、「ｚ軸方向」が、それぞれ、本願発明１の「第１の方向」、「第３の方向」、「第２の方向」に相当する。
　引用発明の「底部が、ｘ軸方向とｚ軸方向を含む平面に沿って広がっている矩形の広域部分１１３を有」する「磁束ガイド１１１」および「上部が、ｘ軸方向とｚ軸方向を含む平面に沿って広がっている矩形の広域部分１１７を有」する「磁束ガイド１１５」は、本願発明１の「第１の方向および前記第１の方向と直交する第２の方向の双方を含む第１の面に沿って広がる」「第１の軟磁性体および第２の軟磁性体」に相当する。
　引用発明の「ｙ軸方向において対向配置され」た「磁束ガイド１１１と磁束ガイド１１５」は、本願発明１の「前記第１の方向および前記第２の方向の双方と直交する第３の方向において対向配置された第１の軟磁性体および第２の軟磁性体」に相当する。
イ　引用発明の「ｙ軸方向において磁束ガイド１１１と磁束ガイド１１５との間に」「設けられ」た「磁気感知構造１５０」は、本願発明１の「前記第３の方向において前記第１の軟磁性体と前記第２の軟磁性体との間に設けられた磁気検出素子」に相当する。
ウ　引用発明においては、「磁束ガイド１１１の底部」が「矩形の広域部分１１３を有し」、「磁束ガイド１１５の上部」が「矩形の広域部分１１７を有し」ており、また、「磁束ガイド１１１と磁束ガイド１１５が、ｙ軸方向において対向して配置され」ている。それゆえ、引用発明において、「磁束ガイド１１１」は「磁束ガイド１１５」と対向する「矩形の広域部分１１３」を有していることは、本願発明１の「前記第１の軟磁性体は、前記第２の軟磁性体と対向する第１の対向面を含」むことに相当する。
エ　引用発明において、「磁束ガイド１１５」は「磁束ガイド１１１」と対向する「矩形の広域部分１１７」を有していることは、本願発明１の「前記第２の軟磁性体は、前記第１の軟磁性体と対向する第２の対向面を含」むことに相当する。
オ　引用発明において、「磁束ガイド１１５の上部に突起部１１６と複数の追加の特徴１１８が形成され」ることは、本願発明１の「前記第１の対向面および前記第２の対向面のうちの少なくとも一方には、複数の突起部が形成されて」いることに相当する。
カ　引用文献１に記載されている「トランスデューサ感知軸は、図１中の矢印で示されており、ｘ軸に沿っている。」という事項（[0042]）を考慮すると、引用発明において、「突起部１１２および１１６の目的は、磁気感知素子１５０を横切って水平に垂直磁束線を送ることと、そして、その感知軸に平行にすることで」あることは、「磁気感知構造１５０」の「感知軸」がｘ軸に沿っている（ｘ軸方向である）ことを意味する。また、上記「ア」で述べたように、引用発明の「ｘ軸方向」は、本願発明１の「第１の方向」に相当し、本願発明１の「第１の面」は「第１の方向」及び「第２の方向」を含むものであるから、引用発明において、「磁気感知構造１５０」の「感知軸」がｘ軸に沿っていることは、本願発明１の「前記磁気検出素子は、前記第１の面に沿った感磁方向を有」することに相当する。
　引用発明の「磁気感知構造１５０が、ｙ軸方向において突起部１１６、複数の追加の特徴１１８と重なって」いないことは、本願発明１の「前記磁気検出素子は、」「前記第３の方向において前記複数の突起部のいずれかと重なり合う位置と異なる位置に設けられ」ていることに相当する。
キ　引用発明の「磁気感知構造１５０が、ｘ軸方向において隣り合う突起部１１６と追加の特徴１１８の中間位置に設けられて」いないことは、「ｘ軸方向」における「磁気感知構造１５０」の中心点が、「ｘ軸方向において隣り合う突起部１１６と追加の特徴１１８の中間位置に設けられて」いないことを意味し、上記「カ」より、「ｘ軸方向」は「感知軸」が沿っている軸の方向であるから、このことは、本願発明１の「前記第１の面に沿った方向における前記磁気検出素子の中心点は、前記第１の面に沿った方向において隣り合う２つの前記突起部同士の中間点から外れた位置にあ」ることに相当する。
ク　引用発明の「外部から印加された磁界の検出のための磁界センサに関するシステム」は、本願発明１の「磁場検出装置」に相当する。
　してみると、本願発明１と引用発明との間における一致点及び相違点は以下のとおりである。
［一致点］
「第１の方向および前記第１の方向と直交する第２の方向の双方を含む第１の面に沿って広がると共に、前記第１の方向および前記第２の方向の双方と直交する第３の方向において対向配置された第１の軟磁性体および第２の軟磁性体と、
　前記第３の方向において前記第１の軟磁性体と前記第２の軟磁性体との間に設けられた磁気検出素子と
　を有し、
　前記第１の軟磁性体は、前記第２の軟磁性体と対向する第１の対向面を含み、
　前記第２の軟磁性体は、前記第１の軟磁性体と対向する第２の対向面を含み、
　前記第１の対向面および前記第２の対向面のうちの少なくとも一方には、複数の突起部が形成されており、
　前記磁気検出素子は、前記第１の面に沿った感磁方向を有し、前記第３の方向において前記複数の突起部のいずれかと重なり合う位置と異なる位置に設けられ、
　前記第１の面に沿った方向における前記磁気検出素子の中心点は、前記第１の面に沿った方向において隣り合う２つの前記突起部同士の中間点から外れた位置にある、
　磁場検出装置。」
［相違点］
［相違点１］
　本願発明１は、「前記第３の方向において前記磁気検出素子を挟むと共に前記磁気検出素子にセンス電流を供給可能に設けられた一対のリード」を有しているのに対して、引用発明は、このような一対のリードを有しているか否かが不明である点。
［相違点２］
　本願発明１は、「前記磁気検出素子および前記一対のリードは、前記第１の方向および前記第２の方向の双方において前記複数の突起部のうちの少なくとも１つと重なり合う位置と異なる位置に設けられている」のに対して、引用発明は、一対のリードを有しているか否かが不明であり、さらに、磁気感知構造１５０（「磁気検出素子」に相当。）および当該一対のリードが、ｘ軸方向およびｚ軸方向（「前記第１の方向」および「前記第２の方向」に相当。）の双方において、突起部１１６と複数の追加の特徴１１８（「複数の突起部」に相当。）のうちの少なくとも１つと重なり合う位置と異なる位置に設けられているか否かが不明である点。
（３）相違点についての判断
ア　相違点１について
（ア）引用発明は、上記「（２）カ」で述べたように、「磁気感知構造１５０」の「感知軸」はｘ軸に沿っており、また、「磁気感知構造１５０」は「ＧＭＲ多層構造」である。
　巨大磁気抵抗効果（ＧＭＲ）を有する磁気検出素子においては、感磁方向と、磁気検出素子を構成する多層構造が積層される方向が直交すること、そして、磁気検出素子へセンス電流を流す手段を備えていることが技術常識である。
　それゆえ、引用発明は、「磁気感知構造１５０」の「感知軸」はｘ軸に沿っている（すなわち、感磁方向がｘ軸方向である）から、「磁気感知構造１５０」を構成する「ＧＭＲ多層構造」が積層される方向がｙ軸方向であり、「磁気感知構造１５０」へセンス電流を流す手段を備えているものと認められる。
（イ）上記「（１）ウ」で述べたように、巨大磁気抵抗効果（ＧＭＲ）を有する磁気検出素子において、磁気検出素子にセンス電流を供給するために、垂直方向において多層構造の磁気検出素子を挟み、磁気検出素子にセンス電流を供給可能な一対のリードを設けた技術は、周知技術である。
　当該周知技術を知る当業者であれば、引用発明において、「磁気感知構造１５０」へセンス電流を流す手段として、垂直方向において「ＧＭＲ多層構造」の「磁気感知構造１５０」を挟み、「磁気感知構造１５０」にセンス電流を供給可能な一対のリード、すなわち、上記相違点１に係る構成である「前記第３の方向において前記磁気検出素子を挟むと共に前記磁気検出素子にセンス電流を供給可能に設けられた一対のリード」を設けることは、適宜設計し得たことである。
イ　相違点２について
（ア）一対のリードを有する点については、上記「ア　相違点１について」で述べたとおりである。
（イ）引用発明では、「突起部１１６からｘ軸に沿って水平方向に移動する磁束線が磁気感知構造１５０に入り、磁気感知構造１５０から出た磁束線が突起部１１２へ水平方向に移動する」ことから、「磁気感知構造１５０」は、「ｘ軸方向」において「突起部１１２」と「突起部１１６」と重なっていると認められる。一方、引用文献１には、「磁気感知構造１５０」が、ｚ軸方向において、突起部と重なっているか否かについて明記されておらず、引用発明がこのように構成されているかは不明である。
　ここで、上記「（２）カ」で述べたように、引用発明においては、「突起部１１２および１１６の目的は、磁気感知素子１５０を横切って水平に垂直磁束線を送ることと、そして、その感知軸に平行にすることで」あり、「磁気感知構造１５０」の「感知軸」はｘ軸に沿っていること、そして、引用発明は、「突起部１１６からｘ軸に沿って水平方向に移動する磁束線が磁気感知構造１５０に入り、磁気感知構造１５０から出た磁束線が突起部１１２に入る」ことを踏まえると、引用発明では、「感知軸」となる「ｘ軸方向」のみにおいて、「磁気感知構造１５０」が、「突起部１１２」や「突起部１１６」と重なるように配置されれば足りるから、引用発明では、「ｘ軸方向」以外の方向において、「磁気感知構造１５０」が、「突起部１１２」や「突起部１１６」のような突起部と重なるように配置する必然性はなく、むしろ重なるようには設けていないと考えるのが自然である。
　してみると、引用発明は、「磁気感知構造１５０」が、ｘ軸方向以外の方向（ｚ軸方向を含む。）において突起部と重なり合うように設けられていないと認められるから、引用発明は、当該「磁気感知構造１５０」は、ｘ軸方向およびｚ軸方向において突起部と重なり合う位置に設けられていない構成、すなわち、本願発明１の、「前記磁気検出素子」は、「前記第１の方向および前記第２の方向の双方において前記複数の突起部のうちの少なくとも１つと重なり合う位置と異なる位置に設けられている」構成を有しているといえる。
（ウ）上記「ア（イ）」で述べたように、引用発明において、磁気抵抗効果素子へセンス電流を流す手段として、垂直方向において多層構造の磁気抵抗効果素子を挟み、磁気抵抗効果素子にセンス電流を供給可能な一対のリードを設けた際には、上記「（イ）」で述べた事項と同様に、引用発明は、磁気感知構造１５０および一対のリードは、ｘ軸方向およびｚ軸方向において突起部と重なり合う位置に設けられていない構成、すなわち、上記相違点２に係る構成である「前記磁気検出素子および前記一対のリードは、前記第１の方向および前記第２の方向の双方において前記複数の突起部のうちの少なくとも１つと重なり合う位置と異なる位置に設けられている」構成を有することになる。
　よって、本願発明１は、引用発明及び周知技術に基づいて当業者が容易に発明できたものであって、特許法第２９条第２項の規定により特許を受けることができない。
（４）請求人の主張について
ア　請求人は、令和１年１月１６日に提出された意見書において、以下のように主張している。
（ア）「本願発明は、磁気検出素子および一対のリードを、第１の方向および第２の方向の双方において複数の突起部のうちの少なくとも１つと重なり合う位置と異なる位置に設けるようにしたものである（便宜上、構成Ａという）。
　一方、引用文献１には、例えばＦｉｇ．１に、Ｘ軸方向において磁束ガイド１１１に設けられた突起部１１２と磁束ガイド１１５に設けられた突起部１１６との間に挟まれた磁気感知構造１５０を備えたデバイスが開示されている。
　しかしながら、引用文献１では、磁気感知構造が、Ｘ軸方向において磁束ガイドおよび突起部の少なくとも一方の重なり合う位置に配置されている。すなわち、引用文献１には、磁気感知構造１５０と、それにセンス電流を供給するリードとが、突起部を含む階層と異なる階層に設けられた構成について、何ら記載も示唆もなされていない。」（以下、「主張Ａ」という。）
（イ）「本願発明は、」「構成Ａを有することで、すなわち、第３の方向において、突起部が設けられた位置と磁気検出素子が設けられた位置とがずれているので、例えば第１の軟磁性体から導入されて第１の軟磁性体に設けられた突起部を通る磁束が、磁気検出素子にスムーズに導かれて第２の軟磁性体へ排出されることとなる。また、第３の方向において、突起部が設けられた位置と磁気検出素子の位置とリードの位置とが異なっているので、磁場検出装置を形成するにあたり、突起部の形成、磁気検出素子の形成、およびリードの形成がそれぞれ容易になされる。そのうえ、平面内でのリードの引き回しのレイアウトのデザインが比較的自由に実施できるなど、設計自由度が向上する。」（以下、「主張Ｂ」という。）
イ　上記主張について検討する。
（ア）上記主張Ａについて
　請求人が主張するように、引用文献１には、磁気感知構造１５０と、それにセンス電流を供給するリードとが、突起部を含む階層と異なる階層に設けられた構成について記載されていない。
　しかしながら、当該構成は、特許請求の範囲において記載されていない。　また、上記「（２）対比」で述べたように、本願発明１の「前記磁気検出素子および前記一対のリードは、前記第１の方向および前記第２の方向の双方において前記複数の突起部のうちの少なくとも１つと重なり合う位置と異なる位置に設けられている」構成は、「前記磁気検出素子および前記一対のリード」が、「第１の方向」だけでなく「第２の方向」においても「前記複数の突起部のうちの少なくとも１つと重なり合う位置」に設けられていない構成（すなわち、「前記磁気検出素子および前記一対のリード」と「前記複数の突起部のうちの少なくとも１つ」が、「第１の方向」から見ても、「第２の方向」から見ても、「重なり合う」ような位置を考えたとき、そのような位置に「前記磁気検出素子および前記一対のリード」が設けられていないこと）を意味する。それゆえ、本願発明１の当該構成は、「前記磁気検出素子および前記一対のリード」が、「第１の方向」だけでなく「第２の方向」においても「前記複数の突起部のうちの少なくとも１つと重なり合」わない位置に設けられていること、すなわち、「第３の方向」において、「前記磁気検出素子および前記一対のリード」が設けられる階層と、「前記複数の突起部のうちの少なくとも１つ」が設けられる階層が異なることを意味するものではない。
　したがって、上記主張Ａは採用できない。
　仮に、本願発明１の「前記磁気検出素子および前記一対のリードは、前記第１の方向および前記第２の方向の双方において前記複数の突起部のうちの少なくとも１つと重なり合う位置と異なる位置に設けられている」構成が、上記主張Ａに従って、「前記磁気検出素子および前記一対のリード」が、「第１の方向」だけでなく「第２の方向」においても「前記複数の突起部のうちの少なくとも１つと重なり合」わない位置に設けられている構成、すなわち、「第３の方向」において、「前記磁気検出素子および前記一対のリード」が設けられる階層と、「前記複数の突起部のうちの少なくとも１つ」が設けられる階層が異なることを意味するとしても、以下のように、本願発明１は、引用発明及び周知技術に基づいて当業者が容易に発明できたものである。
　国際公開第２０１１／０８１１９７号（特に、[0042]、[0074]、[0087]、[0088]、[図15]参照）に見られるように、磁気検出装置において、磁性体と磁気検出素子を斜め方向に配置して、磁性体から磁気検出素子に対して磁束線を斜め方向に誘導する技術は周知技術であるから、引用発明において、「磁気感知素子１５０」を通る磁束線を斜め方向に誘導するために、「突起部１１２」および「突起部１１６」と、「磁気感知素子１５０」とを斜め方向に配置することは、当該周知技術を知る当業者であれば、適宜設計し得たことである。また、垂直方向において、「突起部１１２」および「突起部１１６」が設けられる階層と、「磁気感知素子１５０」が設けられる階層を異ならせること（すなわち、「磁気感知素子１５０」が、ｘ軸方向（「第１の方向」に相当。）だけでなく、ｚ軸方向（「第２の方向」に相当。）においても、「突起部１１２」や「突起部１１６」と重なり合わない位置に設けられているようにすること）は、当業者が、上記磁束線を誘導する斜め方向の角度をどの程度とするかを考慮しつつ、「突起部１１２」、「突起部１１６」、および、「磁気感知素子１５０」の配置を適宜設計して行う程度のことに過ぎない。
　引用発明において、「磁気感知構造１５０」へセンス電流を流す手段として、垂直方向において「ＧＭＲ多層構造」の「磁気感知構造１５０」を挟み、「磁気感知構造１５０」にセンス電流を供給可能な一対のリードを設けた際に、当該一対のリードについても同様に、垂直方向において、「突起部１１２」および「突起部１１６」が設けられる階層と、一対のリードが設けられる階層を異ならせること（すなわち、一対のリードが、ｘ軸方向（「第１の方向」に相当。）だけでなく、ｚ軸方向（「第２の方向」に相当。）においても、「突起部１１２」や「突起部１１６」と重なり合わない位置に設けられているようにすること）は、当業者が、一対のリードに電流を流す電流経路（換言すると、一対のリードの配線）を設ける際に、適宜決定すべき事項に過ぎない。
　なお、本願発明１の「前記磁気検出素子および前記一対のリードは、前記第１の方向および前記第２の方向の双方において前記複数の突起部のうちの少なくとも１つと重なり合う位置と異なる位置に設けられている」構成以外の構成については、上記「（２）対比」、上記「（３）相違点についての判断」で検討したとおりである。
（イ）上記主張Ｂについて
　上記「（ア）」で述べたように、本願発明１の「前記磁気検出素子および前記一対のリードは、前記第１の方向および前記第２の方向の双方において前記複数の突起部のうちの少なくとも１つと重なり合う位置と異なる位置に設けられている」構成は、「前記磁気検出素子および前記一対のリード」が設けられる階層と、「前記複数の突起部のうちの少なくとも１つ」が設けられる階層が異なること（すなわち、「第３の方向において、突起部が設けられた位置と磁気検出素子が設けられた位置とがずれている」こと）を意味するものではない。それゆえ、本願発明１の当該構成により、「磁場検出装置を形成するにあたり、突起部の形成、磁気検出素子の形成、およびリードの形成がそれぞれ容易になされる」効果や、「平面内でのリードの引き回しのレイアウトのデザインが比較的自由に実施できるなど、設計自由度が向上する」効果が発揮されるものとは認められない。
　したがって、上記主張Ｂは採用できない。
　よって、請求人の主張は、採用することができない。
第５　むすび 
　以上のとおり、本願発明１は、引用発明及び周知技術に基づいて当業者が容易に発明できたものであって、特許法第２９条第２項の規定により特許を受けることができない。
　したがって、他の請求項に係る発明について検討するまでもなく、本願は拒絶されるべきものである。
　よって、結論のとおり審決する。